(57)【要約】【課題】鍵や暗証番号を用いず、また個人を特定するカード等を携帯することなく安価な設備費で安全に管理された複数多数の貴重品収納ボックスを提供する。【解決手段】生体特徴読み取りスキャナーとあらかじめ生体特徴を記憶させた記憶媒体を脱着可能なように装着したカードリーダを電子錠付貴重品収納ボックスに一体的に組み込み、これをベッド及びベッド附属収納庫等に溶接又は逆回転防止ネジやビスで取り付け、スキャナーが読み込んだ使用者の生体特徴データと記憶媒体内のデータを無線で管理ステーションのパソコンに送信して照合し、認証された場合に開錠信号を返信して開錠する。収納ボックス等の使用が終了した後開錠状態で使用者は記憶媒体を抜き去ることで自己の個人情報が装置内に残らないことを確認することで生体特徴を入力する際の抵抗感を払拭出来るとともに安心して自己の財産関係帳票や現金を身近に安全に保管出来る。【選択図】図３
2007327253.tif 000002
【特許請求の範囲】
【請求項１】
生体特徴読取スキャナーで入力した生体特徴データとあらかじめ別途手段で記憶媒体に登録した生体特徴データをパソコンで照合し同一であると判定された場合に開錠指令信号を受けて開錠する貴重品収納ボックスにあって、生体特徴データを記憶媒体へ登録及び照合、認証を行う際に、使用するパソコン内に生体特徴データを一切残すことなく、生体特徴読取スキャナー及び生体特徴データ記憶媒体と当該データ読取装置を貴重品収納ボックスに一体的に装着し、スキャナーで入力したデータと記憶媒体内のデータを同時に管理センター等に設置されたパソコンへ無線データ伝送することで開錠管理される複数の電子錠付貴重品収納ボックス。
【発明の詳細な説明】
【技術分野】
【０００１】
本発明は、不特定多数の人が自己の生体特徴を用いて生体特徴データの記憶媒体への登録装置及び照合、認証を行うパソコン内に生体特徴データを一切残すことなく、指紋、掌紋・指の平部または手のひらや手の甲の静脈パターン、虹彩模様等の生体特徴読取スキャナーからのデータ情報とあらかじめ生体特徴を記憶させた記憶媒体内のデータを無線データ伝送で管理センター等に設置するパソコンに送信することで、両者のデータの照合を行い認証した場合に開錠信号をデータ伝送により生体特徴スキャナー側の貴重品収納ボックスに返信してこれを開くシステムにより自己の貴重品財産関係帳票類を安全に管理できる貴重品収納ボックスに関するものである。
【背景技術】
【０００２】
高年齢化社会が進み在宅高齢者及び養護施設で暮らす人に加えて、病を得て入院せざるを得ない高齢者が増加している。同時に病院や施設内での盗難被害が増加しつつあり問題化している。また、高齢者はいずれも資産を保有しており資産管理のセキュリティが気になるところであり、できるだけ身近に資産関連帳票や現金を保管、保有したいと考えている人が増加している。そこで安心して資産関係書類及び帳票や現金を保管できる貴重品収納ボックスの需要が増加しており、その開閉時のセキュリティと貴重品収納ボックスそのもののセキュリティを同時に兼ね備えた対策が必要となっている。開閉手段としては鍵、ダイヤル鍵、プラスチック製穴明きカードキー、電子錠用磁気カードキー、暗証番号入力キー等とこれらの組合せが用いられている。
【０００３】
従来から単独の金庫を始め、ベッドや床頭台（ナイトテーブル）、配膳台、チェスト等のベッド附属収納庫、ロッカー等に組み込んだ簡易金庫や収納ボックスが用いられており、ほとんどは重量が重く簡単に移動し難いものや、建造物に固定あるいは家具、ロッカー、引き出し内等に取り付けて金庫や収納ボックスそのものの盗難に対する一応のセキュリティ対策は講じられている。
【０００４】
金庫を鍵によらないで開錠する方法として、指紋認識装置等の生体特徴認証装置で個人を特定し、あらかじめ登録した指紋や静脈パターンと照合し開錠までを実行する装置を備えこれを制御するプログラムソフトを備えた認証コントローラで開閉する金庫も発売されている。この方式は一般にスタンドアロン方式と呼ばれている。
【０００５】
生体特徴スキャナーを用いて、個人を特定するためにあらかじめ記録した指紋や指静脈パターンをパソコンのマスターに登録しておき、金庫や収納ボックスを開錠したい時にスキャナーに入力することで照合し認証された場合に開錠指令を出すようなソフトを備えたパソコンネットワークで作動する入退出管理扉を応用した金庫や収納ボックスの開発も可能である。また、暗証番号でログインすることでプログラムを起動させセキュリティを向上する方策も考えられる。
【０００６】
本案件に関する文献として下記のようなものがある。特に、瞳孔で識別する「虹彩（アイリス）」認証システムを使用することで就寝中のセキュリティは非常に向上させることができる。また、静脈パターンは生体であることを必要条件とするため偽造が出来ない点で指紋に比べて安全な個人特定手段となる。
【特許文献１】特開平１０−１２７４２２号公報      金庫付きベッド
【非特許文献１】オムロンカタログ  「指紋認証システム」
【非特許文献２】沖テクニカルレビュー189号Vol.169No.1「アイリス認証セキュリティシステム」
【非特許文献３】日立エンジニアリングカタログ「静脈認証システム静紋」
【発明の開示】
【発明が解決しようとする課題】
【０００７】
病院や養護施設等への入院時には不特定多数の人と接触する機会が多く通常の鍵やプラスチック製穴明きカードキーで開錠する金庫では鍵そのものの保管に問題があり、紛失するケースが多く錠の交換やカードキーの補充が必要である。
【０００８】
生体特徴データを記憶させたＩＣカード等を用いる場合もカードそのものの保管に問題があり、紛失するトラブルが多く再作成することが出来ない等の問題が大きい。
【０００９】
暗証番号を入力したり、暗証番号とカードキー併用式のカードキーの場合は使用者が暗証番号を忘れたり、暗証番号を盗まれたりすることによるトラブルが絶えない。
【００１０】
スタンドアロン方式のものは装置が大型となり、非常に高価でいわゆる単独の金庫用に用いられるが病院、施設等で使用する複数の貴重品箱やロッカー用には適さない。
【００１１】
生体特徴データをパソコンのマスターメモリーに記憶することで使用時に入力するデータと照合する方式で本人を特定する場合には、使用者にとって唯一無二の生体特徴データをパソコンに登録することが、個人情報の外部漏洩の不安を持たせることにある。
【００１２】
また単独式の金庫や貴重品収納ボックス式のものもベッドから離れた場所に置かれている場合が多く、且つビスやねじくぎで簡単に止められているものが多く箱そのものやこれを取り付けた家具類ごと盗難にあう場合もある。金庫を取り付けたベッドはあってもベッドや収納庫に取り付ける場合にビスやボルト止めによる方法が採用されており、金庫を取り外されたり、あるいは金庫を取り付けた引き出しや床頭台およびロッカーごと金庫が持ち出されたりしても気が付かない危険があった。
【００１３】
以上のように、高齢者特に病院、養護施設に入院者の資産保管のセキュリティが確保されていないこと、すなわち盗難が後を絶たないこと、暗証番号の失念や鍵の紛失による利便性の欠如や生体特徴データの漏洩の脅威とそれに伴う個人情報入力の不安等に対する管理者側の事務の煩雑化を解消すると同時に賠償責任等の不安を払拭することである。
【課題を解決するための手段】
【００１４】
解決すべき課題の第一は高齢者が自己の財産等の貴重品を金庫や貴重品収納ボックスに保管する時、保管箱の開閉手段として鍵、プラスチック穴明きカードキー、自己の生体特徴データを記憶させたＩＣカード等の記憶媒体を用いる場合これを紛失したり盗難にあったりすることによるトラブルが発生している。また、暗証番号による方法もこれを失念したり盗まれたりすることによるトラブルが発生する。これらの課題を解決する手段としては保管庫の開閉手段として鍵やカード等の物を携帯しないこと、及び暗証番号等の無形のデータ等を用いないことである。その手段として、生体特徴データを用い且つこれを記憶させたＩＣカード等の記憶媒体を携帯しないことである。
【００１５】
本特許案件は照合用登録データを記憶させた記憶媒体を貴重品収納ボックスの中に貴重品と共に収納し使用者はこれを携帯しないことを特徴とする。このように比較照合用データを携帯しないで保管箱にリーダライタのようなデータ読取機を一体的に装備し無線データ伝送でデータの照合を行い開錠管理する貴重品収納ボックスは現実に存在せず文献及び特許等もない。
【００１６】
生体特徴データは個人の唯一無二の個人情報であり他に決して漏洩してはならない情報であるため、これを記憶させたカード内のデータ及びスキャナーに入力したデータが外部に漏洩したり抜き取られる脅威や他から偽造データの侵入を受け貴重品収納ボックスが開かれたりすることの無いようセキュリティを確保する仕組みを作りこむ必要がある。そのため、自己の生体データをパソコンのマスターファイルやスタンドアロン方式の認証コントローラ及び認証装置のメモリー等使用者自身の管理が及ばない場所に登録保管しないことである。生体特徴データの記憶媒体への登録は、生体特徴読取スキャナーと専用パソコン及び読み取りデータ書き込み装置からなる登録装置で行い、この時登録装置内にデータを残さないようにする。また氏名や日付や収納庫番号等も登録しないので不特定の人が自由に登録でき、不特定の貴重品収納ボックスを使用できることを特徴とする。また、貴重品収納ボックスの使用が終了した場合、使用者は自己の生態特徴データを記憶しているカードにはさみを入れて破損すればよい。このようにカードへの登録、消去の際には管理者の立会いは不要であるが、登録装置用に用いるパソコンはインターネットやＬＡＮ等で外部機器と接続させないこと及びメンテナンスの意味合いからも管理室内に置くのが望ましい。
【００１７】
生体特徴データの認証装置からのデータを照合する認証コントローラを用いずに、生体特徴データをあらかじめ記憶させたＩＣカード等の記憶媒体を携帯しないで且つパソコンのマスターメモリーにも記憶登録することなく、次回開錠したい時にスキャナーに入力したデータを照合、認証するためには二つの生態特徴データを無線データ伝送によりナースステーション等の管理室のパソコンに送信して照合を行い、一致した場合、認証して開錠信号を発信することにより、インターフェースを介して電機錠に通電して開錠する複数の貴重品収納庫の管理システムはまだ現実に存在せず文献及び特許等もない。
【００１８】
本案件の金庫や収納ボックスはその収納部の幅寸法が１２から２２センチメートル高々Ａ４ノートの幅で奥行きが３０から４０センチメートル、高さが８から１２センチメートル程度である。これに生体特徴読取スキャナー及び無線送受信機とインターフェースを一体的に取り付けたものである。無線送受信機のアンテナは収納庫の外部にあった方が望ましく、取り付けや設置場所にある程度自由度を持たせられるようにデザインする必要がある。このような寸法のものは簡単に持ち運び出来るので盗難に対するセキュリティ対策が必要である。単独式の金庫や貴重品収納ボックス等はベッドから離れた場所に置かれている場合が多く、単独の重量のある金庫はともかく、金庫や貴重品収納ボックスは病院、老健福祉・養護施設に入院中の高齢者の居住空間内にあるベッドやベッド附属の床頭台や収納庫にビスやねじくぎで簡単に止められている。さらにこれを取り付けたベッド、配膳台、床頭台、附属収納庫等の家具も本来移動するものであるからそれごと盗難にあう恐れがある。そのため収納ボックスはこれらの家具から取り外し出来ないように溶接や逆回転防止ビスあるいはネジで取り付けることが必要であるが、これらの収納ボックスを取り付けた床頭台、配膳台等の家具やベッド等が一定距離以上移動した場合とか出入り口等必ず通過しなければならないゲートを通過すると装置固有の識別ＩＤを記憶させたＩＣチップやＧＰＳシステムが位置の異常を検出し無線データ伝送装置が管理用パソコンにその旨送信して、警報を発したり存在位置を画面上に表示したりすることで盗難防止を図ることが可能である。ゲートがＩＣチップやＲＦＩＤを検出する場合は検出機側に無線機を連結することで管理コンピュータへ情報を送信できるが、収納ボックス側から情報を発信する場合は移動時にはコンセントを抜いているため充電式バッテリーを組み込んで送信することも可能である。移動時にはコンセント式電源を抜いているため、この間に金庫は開閉出来ない回路としておく。
【００１９】
位置異常を検出した場合に金庫や収納ボックスの無線装置が自動的に立ち上がり管理室の管理パソコンと通信を開始するように、記憶媒体がカードリーダに装着されている時には定期的に例えば5秒から15秒間隔でパルスを発信し管理センターのコンピュータと通信を行い、警報を発したり移動場所の表示をしたりすることも出来る。
【００２０】
使用者の生体特徴データを記憶させるカードはＩＣチップや磁気メモリー付のキャッシュカードタイプの物やあるいはその他の記憶媒体の使用も可能である。使用時にはこれらのカードを持ち歩くことなく金庫や収納ボックスに一体的に取り付けたカード読取機に挿入しておくことを特徴とする。
【００２１】
尚金庫や収納ボックスに取り付ける記憶媒体の読取機はリーダー専用機能のみとし、データの書き込みが出来ない形式の物とする。すなわち記憶媒体への登録は施設の受付やナースステーション等の管理室内のパソコン直結スキャナーのみから行いパソコン本体へのデータの保存は行わないシステムとする。また、使用金庫等の番号はパソコンのテンキーからのみ入力できるようにしておき、金庫側や収納ボックス側にはテンキーを設置しない。
【００２２】
管理室側のパソコンに無線の親機とモデムを設置して、一台のパソコンで複数の貴重品収納ボックスや金庫等に取り付けた子機と通信できるようにして複数の金庫や収納ボックスの開錠指令等の制御を同時に行う。
【００２３】
無線でパソコンにデータ伝送する間にデータを傍受されたり妨害電波の影響を受けたりする危険が考えられるが、無線で送信する時に親機と子機間に特定のプロトコルを割り当て他の無線機との通信が出来ないように設定し、且つ双方にデータの暗号化機能を持たせ、スキャナーからのデータ送信時にその都度異なる暗号化処理を行うことで他の無線機による傍受や侵入を防ぐ。
【００２４】
データの暗号化に加えて、生体特徴読取スキャナーから入力された時のみ記憶媒体内のデータが伝送可能状態になるように設定することで、記憶媒体内のデータが単独で送信出来ないように設定する。生体特徴読取スキャナーに入力されたデータと記憶媒体内のデータの二つのデータは送信時にパリティチェックを行なうようそれぞれに暗号化したパリティビットを添付しておくことで記憶媒体に登録したデータをスキャナーからのデータと区別する。管理用パソコンに二つのデータが入力されて初めて機能する。したがって、たとえ記憶媒体データが漏洩したとしても、パソコンは照合、認証操作をすることができないので収納ボックス側に開錠指令を出せない、また記憶媒体内のデータと対になる本人の生体データが同時入力されなければ認証・開閉しないので、安全は完全に守られる。
【００２５】
就寝中に第３者による指紋及び静脈の盗用による開錠防止策としては、生体特徴読取スキャナー付金庫または収納庫の取り付け位置又は設置場所を使用者の就寝中の手の届く範囲外に置くことで解決できる。
【００２６】
各種の使用様態を想定したプログラムを準備しておくことで運用面での安全対策を講じることが出来る。すなわち、システムが夜間には作動しないよう設定しておき、その設定解除等の制御をナースステーション等の集中管理室で本人確認後行う等の運用面での安全策が取れるようにしておくことが出来る。
【００２７】
使用者本人が覚醒中である条件下でシステムが作動して開錠信号がでるようにするには虹彩パターン又は網膜毛細血管パターンを生体特徴情報とするシステムは覚醒中でないとスキャナーの正しい位置に行かないと入力出来ないため、夜間就寝中のセキュリティは非常に高いものとなる。
【発明の効果】
【００２８】
生体特徴データ認証ネットワークシステムで開錠する電気錠付金庫等貴重品収納ボックスにおいて、あらかじめ別の管理された場所、たとえば施設の受付又は管理センター等で生体特徴読取スキャナーから入力した照合用生体特徴データを記憶媒体に記憶させ、これを収納ボックスの中に一体的に組み込んだカードリーダに脱着可能な様に装着しておき、収納ボックスを開錠したい時に、収納ボックス外部に設置又は組み込んだ生体特徴読取スキャナーに自己の生体特徴を入力するだけで開錠できるので、鍵や記憶媒体を持ち歩かなくても済むので鍵やカ−ドの紛失や盗難及び暗証番号の失念、盗難といったトラブルから開放され高齢者が安心して自己の資産関係書類や帳票類及び現金等の資産を身近に保管出来る。
【００２９】
収納ボックスを開くに際して生体特徴をスキャナーから入力する場合に、常に入力及びデータ伝送装置をオンにしておくことも可能であるが、収納ボックス側の入力スキャナー付近にプッシュボタンで電源を入れた後入力したり、あるいは小型のタッチパネルをはめ込み、人が近づいたらメニューを出し指でやりたい動作を指定したりすることも出来る。又照合認証プロセスも表示して使用側の心理的不安を軽減することも出来る。
【００３０】
生体特徴データを記憶させた記憶媒体とデータ読取機を貴重品と共に収納ボックスの中に収納するかまたは管理者の持つマスターキーでないと開かないケース内に収納してあるため記憶媒体を紛失したり盗まれたりする心配が無いが、万一盗難にあっても、カードに登録したデータと同じ生体特徴をスキャナーに入力しないと機能しないため悪意の第３者にとって意味のない記憶媒体でしかありえない。
【００３１】
開錠時にスキャナーに入力した生体特徴データと記憶媒体内のデータを共に無線でパソコンにデータ伝送して、この二つのデータの比較照合、認証をパソコンで行い開錠指令を無線で金庫や収納ボックスに送信し開錠作動させるため、パソコンにマスターファイルを持たせる必要がなくなり個人情報が外部に流出する恐れがない。
【００３２】
退院等で貴重品収納ボックスの使用が終了した時、収納ボックスの使用者は収納ボックスを開錠して自己の生体特徴データを保存してある記憶媒体を抜き去り自己の個人情報を自己で消去や廃棄処分することで、確実に事故の個人情報が残されなかったことを確認できるので、流出の不安を払拭することが出来る。
【００３３】
一方、使用者個人の生体特徴データをカード等の記憶媒体にのみ登録し、金庫や貴重品収納ボックスそのものの中に挿入しておき、管理者の管理するパソコン内に生体特徴に関する個人情報を保存しないため、個人情報漏洩や貴重品盗難等の事故発生時における管理者側の管理責任や賠償責任に対する不安がなくなる。すなわち使用者は管理者の立会い無しで自己の生態特徴データ登録カードを作成することが出来、任意の収納ボックスの読取機に挿入して貴重品を入れ、必要な時にスキャナーから自己の生体特徴を入力して収納ボックスを開くので、この間に管理者の介入がなく、また管理室内の照合・認証用パソコンやカードへの生体特徴データ登録機内には使用者の生態特徴データや氏名・使用収納ボックス番号・使用時間等のデータは一切保存していないため事故発生時に管理者の責任は発生しない。
【００３４】
１台ごとの貴重品収納ボックスに認証コントローラを用いず、無線データ伝送により収納ボックスの使用者確認と開錠操作を行うため１台のパソコンで電波の届く範囲の任意の場所に設置する複数の貴重品収納ボックスを管理できるので病院や老健福祉施設等の各室内における複数の個人の貴重品収納ボックスの管理が出来る。
【００３５】
無線で操作を行うため配線工事を行う必要が無く、新築のみならず既設の建物においても非常に安価な設備費で一台のパソコンで複数の貴重品収納ボックスや金庫の管理システムを導入することが出来る。
【００３６】
個人の生体特徴データを登録した記憶媒体のデータとスキャナーから入力した２つのデータにパリティビットを添付して、特定のスキャナーから認証用データを入力しないと作動しないシステムとしたことで、たとえ悪意の第３者がカードを抜き取ってもこれを他の無線局からは送信できないため意味のないデータでしかありえないので記憶媒体が盗難にあっても金庫が開けられるという危険はない。
【００３７】
無線データ伝送に際して収納ボックス側の端末子機とパソコン側の親機の間に両者だけのプロトコルを設定することで他の無線局からの傍受や侵入が出来ない。
親機と子機間だけで解読できる暗号化を行ってデータ伝送することで他の無線局で傍受できても解読が容易ではなくなる。またデータ伝送時の出力ワット数は１０ｍＷ程度で現行の病院で使用されているＰＨＳ携帯電話と同等かより微弱であり、心臓ペースメーカ等医療機器に対する影響はほとんど無い。さらに電波の到達距離が３００メートルで鉄筋コンクリートや鉄板壁も通過する能力がある周波数帯であるため電波障害を受けにくい。尚、記憶媒体をマスターキーの操作で開けられるスライド蓋付ケース中または収納ボックスの収納部に設置した読み取り専用カードリーダ内に格納しているので記憶媒体を紛失したり盗まれたりする心配がない。
【発明を実施するための最良の形態】
【００３８】
収納ボックス使用者の指静脈パターンを記憶媒体に記録する手段は特に規定するものではないが、指静脈スキャナーと同スキャナーからの指静脈パターンをデータ化するプログラムをインストールしたパソコンとリーダライタを用いる。このパソコンは通常管理室に設置し管理者立会なしで記憶媒体を作成出来るが、一旦記憶媒体に記憶させると自動的にパソコン内部にデータが残らないようにプログラムしておく。またこのパソコンはインターネットやＬＡＮ等外部と遮断されたものとする。パソコンのもつ機能のうちスキャナーからのパターンをデータ化する機能またこれをリーダライタに書き込む機能だけを備えたいわゆるＰＤＡと指静脈スキャナーとリーダライタ直結の専用記憶媒体作成機を用いるのがより望ましい。この場合には独立した専用のＰＤＡを備えた記憶媒体作成機を開発する必要があるが、不特定多数の人が管理者の立会いなしで記憶媒体に生体特徴を記憶させたり記憶媒体内のデータを消去したりすることが出来る。
【００３９】
収納ボックスの使用が終了した時、使用者は収納ボックスの記憶媒体収納部から記憶媒体を抜き取り、はさみを入れて廃棄するかまたは記憶媒体を作成した記憶媒体作成機の記憶媒体挿入口へカード等を挿し込み記憶媒体内部のデータを削除し記憶媒体を管理者に返却する。
【００４０】
病院や養護施設等の不特定多数の人が出入りする施設に入院中の人が自己の資産関係帳票や現金を安全に身近に保管できるよう、生体特徴データを入力することで開錠する電気錠付金庫、収納ボックスを用い、これに生体特徴入力用スキャナーを金庫や収納ボックスに一体的に組み込み、これをベッド及びベッド附属収納庫等に逆回転防止立て込みボルトやビス又はネジで取り外しできないように取り付ける。取り付け位置は第３者が就寝中の金庫使用者本人の指や掌を生体特徴認識スキャナーにあてがえないような場所を選ぶことが必要である。
【００４１】
金庫や貴重品ボックス等の使用に際して、使用者の指紋や指の平部等の静脈等の生体特徴データをＩＣチップ等の記憶媒体を備えたカード等にあらかじめ記憶させ、これを個々の使用者のベッド、床頭台もしくは居住空間内の附属収納庫等に取り付けられている貴重品収納ボックス等に一体的に取り付けられているカードリーダに挿入しておき、入院中は自由に持ち出せないように機械的もしくは電気的にロックをかけておく。あるいは、カードリーダを金庫または貴重品収納ボックスの中に取り付けることも出来る。つまり貴重品収納ボックス内にカードリーダとカード挿入口を格納しておくことで、通常時は収納ボックスの扉は電機錠でロックされているので、記憶媒体も収納中の貴重品も盗難に遭うことはない。退院時に患者が記憶媒体を抜き取って処分することにより、自己の生体特徴データが外部に漏れなかったことを実感できるので入力時の抵抗感を払拭出来る。
【００４２】
本案件の生体特徴として指の平または手の甲の静脈パターンを用いる場合には、金庫の開錠可能の時間帯が使用者本人の覚醒時間帯に限るように運用面での時間設定を行えるようにすればさらに有効である。一方虹彩スキャナーや顔輪郭スキャナーを用いても良い、この場合は覚醒中でしか使用できないので稼動時間の制約はなくなるが、これらのスキャナーは室内の壁や収納庫の扉部の内側あるいは覗き込み式装置等の顔を映せる場所に限られる。またスキャナーと金庫あるいは収納ボックスはコードで接続する必要がある。
【００４３】
スキャナーから入力される認証用生体特徴データはあらかじめＩＣチップ埋め込みカードかもしくは他の種類の記憶媒体に記憶登録しておいた照合用生体特徴データと共にナースステーション等管理室に設置した管理用パソコンで照合され一致した場合のみインターフェースを介し金庫あるいは収納ボックスの電気錠を開くこととする。この場合スキャナーと記憶媒体読取機と両者のデータの無線送信機を一体的に組み込んだ金庫あるいは収納ボックスと、これから送信される２つのデータを受信する無線受信機と複数の対となる無線装置からのデータを一括制御するプログラムをパソコンにインストールしておき、それぞれの対となっているデータの照合を行ない、対のデータが一致認証された場合に対のデータを送信してきた収納ボックス等の電気錠に開信号を返信することを特徴とする。この方法は収納ボックス側の無線送信機を子機として、受信側の認証パソコン側の無線機を親機とし両者間だけで通信できるプロトコルを設定することで行う。
【００４４】
生体特徴データを登録記憶させたＩＣチップ埋め込みカードもしくは他種の記憶媒体を金庫あるいは収納ボックスの収納部内部あるいはマスターキーの操作で開けられる蓋付ケース内に一体的に取り付けられた読取専用機に挿入し、使用中は抜き取れないようにすることを最大の特徴とする。
【００４５】
個人の生体特徴データを登録した記憶媒体のデータとスキャナーから入力した２つのデータにパリティビットを添付して、特定のスキャナーから認証用データを入力しないと作動しないシステムとしたことで２つのデータのエラーを防止したことを特徴とする。
【００４６】
無線によるデータ伝送時に二つのデータの暗号化と特にスキャナーからのデータ送信時にその都度異なる暗号化処理を行うことと、無線機相互に特定のプロトコルを割り振ることで他の無線機で傍受したり通信システムへ侵入したりすることが出来なくしたことを特徴とする。
【００４７】
無線機のアンテナは収納ボックスの外部が望ましいが、様々な設置場所に対応できるように無線機との接続コードに余裕を持たせたものとする。又前面操作部の上面あたりに外部に面した形でアンテナを這わせて収納ボックスと一体化させてもよい。
【実施例１】
【００４８】
収納ボックス使用者の静脈パターンの記憶媒体への記録は、所定のＩＣチップ埋め込みカード等を収納ボックス提供者から受取り、指静脈スキャナーとリーダライタ直結の専用記憶媒体作成機を用いて指静脈スキャナーに任意の指の平を挿し込み指静脈パターンを撮影してカードにデータを記憶させる。この時記憶媒体作成機内のメモリーには指静脈パターンのデータは残らないようプログラムしておく。
【００４９】
図１は、床頭台、附属収納庫、ベッドそれぞれに本発明の指静脈認識装置を組み込んだ図２,３の収納ボックスを組み込んだ例である。無線機のアンテナ７は取り付け位置により自由に設置または取り付けられるようにコードの長さに余裕を持たせたものとする。
【００５０】
図３は本発明の指静脈認識装置を組み込んだ前面開きタイプの金属製収納ボックス１の扉２を開いた状態を示す図である。収納ボックス使用者の静脈パターンを記録したＩＣチップ埋め込みカード８をあらかじめカードリーダの挿入口９に挿し込んでおく。
【００５１】
図２は本発明の静脈認証装置を組み込んだ前面開きタイプの金属製収納ボックス１の扉２を閉じた状態の外観図である。収納ボックスの使用者が収納ボックスを開きたい場合、タッチパネル５に手をかざすか接近して、タッチパネル画面にメニューを表示させ行いたい動作をポイントする。または静脈スキャナーの電源4を押しスキャナーをスタンバイ状態にすることも出来る。次いで静脈スキャナー３に登録した時と同じ指をスキャナー３にあてがい静脈パターンを入力する。タッチパネルは照合、認証の逐次処理状態を表示する。認証された場合に扉を開くことが出来る旨のメッセージを表示する。
【００５２】
図５にナースセンターに設置した管理用パソコンと病室に置かれた収納ボックス間の情報伝送システムを示す。無線データ伝送制御及び送信されて来る２つのデータの識別、照合、認証及び収納庫への開情報伝送指令までの一連の動作を制御するプログラムをインストールしてある。但し、取り扱うデータ類の演算処理は行うが一切のデータの保存は行わないようプログラムされている。
【００５３】
収納ボックスの使用を終了した時、使用者は通常の開操作を行い収納ボックス内の貴重品を回収した後、カードを抜き取る。抜き取ったＩＣチップ埋め込みカードは独自で破壊処分をしても良いが通常は管理者立会いのもとで、記憶媒体作成パソコンにより記録データを削除し管理者に記憶媒体を返却する。
【実施例２】
【００５４】
収納ボックス使用者の静脈パターンのＩＣチップ埋め込みカード等への記録は、指静脈スキャナーと同スキャナーからの指静脈パターンをデータ化しリーダライタに出力するプログラムをインストールしたパソコンまたは専用ＰＤＡ装備カード作成機を用いて外部気憶装置としてのＩＣチップ埋め込みカード等に保存する方法で行う。この場合のパソコンは通常管理室に設置し当然インターネットやＬＡＮ等外部機器と遮断されたものとする。
【００５５】
図１は、床頭台、附属収納庫、ベッドそれぞれに本発明の指静脈認識装置を組み込んだ図４の収納ボックスを組み込んだ例である。無線機のアンテナ７は取り付け位置により自由に設置または取り付けられるようにコードの長さに余裕を持たせたものとする。
【００５６】
図４は本発明の指静脈認識装置を組み込んだ引き出し式の金属製収納ボックスに収納ボックス使用者の静脈パターンのデータを記録したＩＣチップ埋め込みカード等をあらかじめカードリーダの挿入口９に挿し込んでおく。実施例２の場合はカードリーダを収納ボックス外部ケース内に取り付けＩＣチップ埋め込みカード等を挿入した後管理者が保管するマスターキーで開閉できる蓋を閉め格納する。同時にＩＣチップ埋め込みカード等は電気的にロックして第３者に抜き取られないようにしておく。ロック解除は管理者が管理室内のパソコンから行うようにしておきマスターキーで記憶装置収納部の蓋を開ける。
【００５７】
収納ボックスの使用者が収納ボックスを開けたい場合、静脈スキャナーの通電表示ランプ兼用電源ボタン4を押しスキャナーをスタンバイ状態にする。次いで静脈スキャナー３に登録した時と同じ指をスキャナー３にあてがい静脈パターンを入力する。次いで静脈パターンがデータ化されると送信可能表示ランプが４の部分に点灯し、認証表示ランプ兼用無線送信ボタン４を押してデータの送信を行う。認証された場合に引き出し可能表示ランプが点灯し扉を開くことが出来る。
【００５８】
実施例１と同様、図５にナースセンターに設置した管理用パソコンと病室に置かれた収納ボックス間の情報伝送システムを示す。無線データ伝送制御及び送信されて来る２つのデータの識別、照合、認証及び収納庫への開情報伝送指令までの一連の動作を制御するプログラムをインストールしてある。但し、取り扱うデータ類の演算処理は行うが一切のデータの保存は行わないようプログラムされている。
【００５９】
収納ボックスの使用を終了した時、使用者は管理者に申し出で通常の開操作を行い収納ボックス内の貴重品を回収した後、記憶媒体収納部の扉をマスターキーで開き、管理センターのパソコンから記憶媒体の取り出しロックの解除を行ってもらいＩＣチップ埋め込みカードを抜き取る。管理者立会いのもとで、記憶媒体作成用パソコンにより記録データを削除し管理者にカードを返却する。
【産業上の利用可能性】
【００６０】
高年齢化社会が進み在宅高齢者及び養護施設で暮らす人に加えて、病を得て入院せざるを得ない高齢者が増加している。高齢者はいずれも資産を保有しておりできるだけ身近に資産関連帳票や現金を保管、保有したいと考えている人が多く,それに比例して病院や施設内での盗難被害が増加しつつあり資産管理のセキュリティが気になるところである。そこで安心して資産関係書類及び帳票や現金を保管できる貴重品収納ボックスの需要が見込まれ、特に収納ボックス等の開閉時のセキュリティと収納ボックスそのもののセキュリティを同時に兼ね備えた対策が必要となっている。開閉手段としては鍵、ダイヤル鍵、プラスチック製穴明きカードキー、電子錠用磁気カードキー、暗証番号入力キー等とこれらの組合せが用いられている。ところが、カードキーや通常の鍵をもちあるいているうちに落としたりして失う、またダイヤル鍵や暗証番号による開錠方法ではその番号を忘れたり他人に番号を盗まれることによるトラブルが後を絶たない。そこでキーやカードや暗証番号を用いないで本人確定を確実に行える生体特徴を用いてその照合により開錠する収納ボックスは今後ますます需要が増大する可能性が大きい。また、病院,老健福祉施設岳だけでなくイベント会場、或いはゴルフ場や学校及び駅等のロッカールーム等への用途拡大も期待できる。
【図面の簡単な説明】
【００６１】
【図１】指静脈認証装置付金庫の設置例の図。（ａ）床頭台（ｂ）ベッドの下部（ｃ）収納台
【図２】指静脈認証装置を組み込んだ金属製金庫の図である。前開きタイプ。（実施例１）
【図３】指静脈認証装置を組み込んだ金属製金庫の図である。前開きタイプ。オープン。        ＩＣチップ埋め込みカード等の記憶媒体の挿入状況を示す図である。（実施例１）
【図４】指静脈認証装置を組み込んだ金属製金庫の図である。引き出しタイプ。（実施例２）
【図５】管理コンピータと金庫との情報のやり取りを示すシステム図。
【符号の説明】
【００６２】
１    収納ボックス本体
２    収納ボックス開き戸
３    指静脈スキャナー
４    操作ボタン
５    液晶表示パネル
６    無線機
７    アンテナ
８    引き手金物
９    記憶媒体カ―ド等挿入口
１０    記憶媒体カ―ド等取り出しボタン
１１    電子錠部
１２    マスターキー挿入口
【図１】
2007327253.tif 000003
【図２】
2007327253.tif 000004
【図３】
2007327253.tif 000005
【図４】
2007327253.tif 000006
【図５】
2007327253.tif 000007